(57)【特許請求の範囲】
【請求項１】
生物脱硫塔と乾式脱硫塔とを用いて、硫化水素含有ガスから硫化水素を除去する脱硫システムにおいて、
該生物脱硫塔内に微生物が付着する充填材からなる担体充填層を設け、
該乾式脱硫塔内に脱硫剤からなる脱硫剤充填層を設け、
硫化水素含有ガス流入ラインが該生物脱硫塔の上流側に接続され、
生物脱硫塔処理ガスラインの一端が該生物脱硫塔の下流側に接続され、かつ、該生物脱硫塔処理ガスラインの他端が該乾式脱硫塔の上流側に接続され、
乾式脱硫塔処理ガスラインの一端が該乾式脱硫塔の下流側に接続され、
該乾式脱硫塔処理ガスラインが処理ガスラインと循環ガスラインに分岐され、
該循環ガスラインの他端が該生物脱硫塔の上流側に接続され、
さらに、該生物脱硫塔の上流側の硫化水素濃度が７００ｐｐｍ以下になるように、該循環ガスラインで該生物脱硫塔に供給するガス量を調節する乾式脱硫塔処理ガス量供給調節機構を設けたことを特徴とする脱硫システム。
【請求項２】
生物脱硫塔と乾式脱硫塔とを用いて、硫化水素含有ガスから硫化水素を除去する脱硫方法において、
該生物脱硫塔内には微生物が付着する充填材からなる担体充填層が設けられ、
該乾式脱硫塔内には脱硫剤からなる脱硫剤充填層が設けられ、
硫化水素含有ガスを該生物脱硫塔の上流側より流入させる工程と、
該生物脱硫塔の下流側から生物学的に脱硫後の生物脱硫塔処理ガスを該乾式脱硫塔の上流側に流入させる工程と、
該乾式脱硫塔の下流側より化学的に脱硫後の乾式脱硫塔処理ガスを排出させると共に、該生物脱硫塔の上流側の硫化水素濃度が７００ｐｐｍ以下になるように、該乾式脱硫塔処理ガスの一部を循環ガスとして該生物脱硫塔の上流側より導入させる工程とを有することを特徴とする脱硫方法。
【発明の詳細な説明】
【技術分野】
【０００１】
本発明は、生物脱硫方法と乾式脱硫方法を併用した脱硫システム及び脱硫方法に関し、特に、メタン発酵処理の工程で発生するバイオガスや、下水処理施設又は酪農施設などから発生する硫黄系臭気に含まれる硫化水素含有ガスから、硫化水素を効率的に除去するための脱硫システム及び脱硫方法に関する。
【背景技術】
【０００２】
有機性廃棄物または有機性廃水は水処理分野においてメタン発酵により処理され、メタンガスを主成分とするバイオガスが発生する。バイオガスはメタン発酵の方法によって濃度は異なるものの、主成分としてメタンを６５〜８５％、二酸化炭素を１５〜３５％、硫化水素を１０００〜６０００ｐｐｍ程度含んでいる。発生したバイオガス中のメタンはボイラーの燃料として利用が可能であり、ボイラーから発生した蒸気は加温設備にて有効利用できる。また、バイオガスはガスエンジンの燃料となり、発電も可能である。
【０００３】
バイオガス中に含まれる硫化水素は、燃焼の際に亜硫酸ガス（ＳＯ２）に酸化され、発生する亜硫酸ガスは水分に溶解すると硫酸となり、大気中に放出されると酸性雨の原因となるだけでなく、燃焼ガスが施設内で冷却されると凝縮した水分によって硫酸となり、腐食などの問題を生じさせる。
そのため、バイオガスを利用するためには、硫化水素を除去することが重要な課題となっている。
【０００４】
また、硫化水素は下水処理施設や酪農施設などの事業場から発生する臭気（悪臭）にも含まれる。硫黄系臭気のなかには、硫化水素のほかにメチルメルカプタンや硫化メチル、二硫化メチルといった含硫黄化合物がある。これらの物質はいずれも特定悪臭物質に指定されている。とくに、硫化水素は特定の濃度以上を含有する場合は毒性を呈する物質である。
工場その他の事業場における事業活動に伴って発生する臭気は、悪臭防止法に基づき適切に処理される必要がある。
【０００５】
バイオガスや臭気などの硫化水素含有ガス中の硫化水素除去方法には、乾式脱硫方法があり、酸化鉄を主成分としたペレット状の脱硫剤を用いて硫化水素を除去する。乾式脱硫方法においては、硫化水素は、酸化鉄と化学的に反応するため、脱硫剤の硫化水素の除去量は、酸化鉄の存在量に概ね比例する。脱硫剤の硫化水素除去反応に関与する酸化鉄がなくなると除去性能は低下し、新しい脱硫剤に交換する必要がある。
【０００６】
他の脱硫方法には、本発明のように微生物を利用した生物学的脱硫方法がある。生物学的脱硫方法では特に硫黄酸化細菌の活性維持と生物学的に硫化水素を酸化させるためには酸素が必要である。バイオガスには酸素が含まれていないため、バイオガスに酸素含有気体を供給してバイオガス中の硫化水素を生物学的に酸化する。臭気除去において硫化水素などは酸素含有率の高い大気中に存在しているため酸素含有気体の供給は不要である。次に微生物による硫化水素を除去メカニズムについて説明する。
【０００７】
バイオガスに酸素含有気体を供給して、硫化水素を微生物により以下の（式１）（式２）に示す反応経路で硫黄（Ｓ）または硫酸（Ｈ２ＳＯ４）を生成させて除去する。（式１）（式２）に関与する微生物は、充填材表面に付着したり浮遊することが可能であり、硫黄酸化細菌である好気性菌が自然界に多く存在する。微生物が関与するために、温度や水分は微生物の生存環境として必須である。
【０００８】
Ｈ２Ｓ  ＋  1/2Ｏ２  →  Ｓ  ＋  Ｈ２Ｏ            （式１）
Ｓ  ＋  3/2Ｏ２  ＋  Ｈ２Ｏ  →  Ｈ２ＳＯ４          （式２）
【０００９】
（式１）は硫化水素が硫黄酸化細菌により、単体硫黄（Ｓ）を生成する反応である。酸素が硫化水素の１／２ｍｏｌを超える場合には、硫黄酸化細菌によってさらに（式２）の反応を行い、硫酸（Ｈ２ＳＯ４）が生成する。硫化水素がすべて硫酸（Ｈ２ＳＯ４）に転換するには、硫黄酸化細菌の存在下で、理論的には酸素が硫化水素の２ｍｏｌ以上必要となる。
【００１０】
バイオガスを燃焼ガスとして利用するためには脱硫を含む精製が必要である。脱硫は、硫化水素含有ガス中の硫化水素を除去して有効活用するために用いられる技術である。
従来の生物学的脱硫方法は、生物脱硫方式で処理したのちに乾式脱硫方式にて硫化水素を完全に処理するのが一般的である。
【００１１】
生物脱硫技術と乾式脱硫技術の併用した複合型脱硫技術の一例として特許文献１がある。特許文献１では、生物脱硫技術で処理できなかったバイオガス中の硫化水素を乾式脱硫技術で完全除去したのちバイオガスを有効利用することを目的としている。
【００１２】
特許文献１のシステムでは、生物脱硫装置で硫化水素含有ガスから硫化水素を概ね除去し、残りの硫化水素は乾式脱硫装置で完全に除去するとしている。
そこで、特許文献1の脱硫システムについて本発明者らが実験を行ってみると、生物脱硫装置が正常に機能している場合には、硫化水素は生物脱硫装置で概ね除去されるため乾式脱硫装置への硫化水素負荷量は減少し、脱硫剤の交換頻度は軽減されることが確認できた。
【００１３】
しかし、この脱硫システムでは立上げ時は硫化水素を処理する菌数が少なく、硫化水素負荷量を慎重に管理し徐々に菌数を増殖させる必要があり、生物脱硫装置での正常な機能に達すのに長期間を要する問題点があることがわかった。
更に、特許文献１の脱硫システムでは生物脱硫装置内で高濃度硫化水素を硫黄として処理される。このため、生物脱硫装置では処理が進むと硫黄が析出して閉塞に至ることもあった。
このため、脱硫剤の交換頻度を軽減させるためには生物脱硫装置で多くの硫化水素が除去できることに加え、生物脱硫装置での硫黄の析出を抑制し安定して処理することが重要であることがわかった。
【００１４】
特許文献２では、生物脱硫装置で処理したガスの一部を生物脱硫装置の流入側に循環させることで希釈効果を利用し、装置への流入ガス中の硫化水素濃度を調整する技術が開示されている。
特許文献２の脱硫システムでは高負荷で硫化水素を処理できるほか、硫化水素を硫酸に転換することで装置内に硫黄を析出させず洗浄工程が削減できるとしている。
しかし特許文献２は、特許文献１と同様に、立上げ時には硫化水素負荷量を慎重に管理して徐々に菌数を増殖させる必要があり、生物脱硫装置での正常な機能に達すのに長期間を要する。
更に、立上げ期間のように処理ガス中に未処理の硫化水素が多く含まれる場合には、処理ガスの一部を生物脱硫装置に循環させると、循環ガスで供給される硫化水素の処理負荷が追加され、生物脱硫装置での処理が不安定となる問題もある。
【先行技術文献】
【特許文献】
【００１５】
【特許文献１】特開２０１１−１８４６５６号
【特許文献２】特開２０１５−１３４３１３号
【非特許文献】
【００１６】
【非特許文献１】「最新触媒利用技術」栗田学，株式会社アイピーシー，昭和６０年１０月２０日発行
【発明の概要】
【発明が解決しようとする課題】
【００１７】
本発明が解決しようとする課題は、上述した諸問題に鑑み、次の問題点を解決した脱硫システム及び脱硫方法を提供することを目的とする。
（１）立上げ時期に安定的に硫黄酸化細菌を増殖させるための慎重な処理の制御と立上げ期間の長期化の回避
（２）硫黄の析出による生物脱硫塔内の閉塞の回避
（３）処理ガスに含まれる未処理の硫化水素のガス循環による生物脱硫装置での処理の不安定化の回避
【課題を解決するための手段】
【００１８】
上記課題を解決するため、本発明の脱硫システム及び脱硫方法は、以下の特徴を有する。
（１）生物脱硫塔と乾式脱硫塔とを用いて、硫化水素含有ガスから硫化水素を除去する脱硫システムにおいて、該生物脱硫塔内に微生物が付着する充填材からなる担体充填層を設け、該乾式脱硫塔内に脱硫剤からなる脱硫剤充填層を設け、硫化水素含有ガス流入ラインが該生物脱硫塔の上流側に接続され、生物脱硫塔処理ガスラインの一端が該生物脱硫塔の下流側に接続され、かつ、該生物脱硫塔処理ガスラインの他端が該乾式脱硫塔の上流側に接続され、乾式脱硫塔処理ガスラインの一端が該乾式脱硫塔の下流側に接続され、該乾式脱硫塔処理ガスラインが処理ガスラインと循環ガスラインに分岐され、該循環ガスラインの他端が該生物脱硫塔の上流側に接続され、さらに、該生物脱硫塔の上流側の硫化水素濃度が７００ｐｐｍ以下になるように、該循環ガスラインで該生物脱硫塔に供給するガス量を調節する乾式脱硫塔処理ガス量供給調節機構を設けたことを特徴とする。
【００１９】
（２）生物脱硫塔と乾式脱硫塔とを用いて、硫化水素含有ガスから硫化水素を除去する脱硫方法において、該生物脱硫塔内には微生物が付着する充填材からなる担体充填層が設けられ、該乾式脱硫塔内には脱硫剤からなる脱硫剤充填層が設けられ、硫化水素含有ガスを該生物脱硫塔の上流側より流入させる工程と、該生物脱硫塔の下流側から生物学的に脱硫後の生物脱硫塔処理ガスを該乾式脱硫塔の上流側に流入させる工程と、該乾式脱硫塔の下流側より化学的に脱硫後の乾式脱硫塔処理ガスを排出させると共に、該生物脱硫塔の上流側の硫化水素濃度が７００ｐｐｍ以下になるように、該乾式脱硫塔処理ガスの一部を循環ガスとして該生物脱硫塔の上流側より導入させる工程とを有することを特徴とする。
【発明の効果】
【００２０】
乾式脱硫塔処理ガスを生物脱硫塔の上流側へ循環させることで硫化水素含有ガスの硫化水素濃度の希釈効果を高めて生物脱硫塔での処理を改善させると共に、立上げ時や硫化水素含有ガスの硫化水素濃度変動がある場合でも安定して処理できる。その結果、立上げ期間の短縮化や、硫黄の析出による生物脱硫塔内の閉塞の抑制も可能となる。
【図面の簡単な説明】
【００２１】
【図１】本発明の脱硫システムの概略を示す図である。
【図２】本発明の脱硫システムの概略を示す図であり、バイパスガスラインの一方が生物脱硫塔処理ガスラインに接続され、バイパスガスラインのもう一方が循環ガスラインに接続した例を示す図である。
【図３】本発明の脱硫システムの概略を示す図であり、バイパスガスラインの一方が生物脱硫塔処理ガスラインに接続され、バイパスガスラインのもう一方が循環ガスラインに接続した別の例を示す図である。
【図４】本発明の脱硫システムの概略を示す図であり、バイパスガスラインの一方が生物脱硫塔処理ガスラインに接続され、バイパスガスラインのもう一方が生物脱硫塔の上流側に接続した例を示す図である。
【図５】実施例１の本発明の実験装置図である。
【図６】実施例１の比較例の実験装置図である。
【図７】実施例１における本発明と比較例による生物脱硫塔処理ガス中の硫化水素濃度の経日変化を示す図である。
【図８】実施例１における本発明の生物脱硫塔で処理される硫化水素濃度と乾式脱硫塔で処理される硫化水素濃度を経日ごとに対比した図である。
【図９】実施例１における比較例の生物脱硫塔で処理される硫化水素濃度と乾式脱硫塔で処理される硫化水素濃度を経日ごとに対比した図である。
【図１０】実施例２の実験装置図である。
【発明を実施するための形態】
【００２２】
本発明は、上述した従来の脱硫システムの問題点を解決し、安定した脱硫処理を達成することを目的とする。
【００２３】
ここで、後述するガスの名称について、次のように定義する。
・硫化水素含有ガス：  ガス中に硫化水素を含有するガスのことである。
・バイオガス：  メタン発酵によって発生したガスのことで、酸素は含有していない。
・酸素含有気体：  酸素を含む気体のことである。
・生物脱硫塔処理ガス：  生物脱硫塔を通過したガスのことである。
・乾式脱硫塔処理ガス：  乾式脱硫塔を通過したガスのことである。
・循環ガス：  生物脱硫塔処理ガスの一部または乾式脱硫塔処理ガスの一部が循環ガスラインを通って再び生物脱硫塔に流入するガスのことである。生物脱硫塔処理ガスを循環する場合には、当該ガスを「バイパスガス」ともいう。
・処理ガス：  乾式脱硫塔を通って系外へ排出されるガスのことである。
・混合ガス：  硫化水素含有ガスと酸素含有気体と循環ガスが混合したガスのことである。
【００２４】
１日あたりの硫化水素負荷量の算出量を（式３）に示す。
硫化水素負荷量［ｋｇ／ｄａｙ］＝
（混合ガス硫化水素濃度［ｐｐｍ］×１０−６×（硫化水素含有ガス量［ｍ３／ｄａｙ］＋循環ガス量［ｍ３／ｄａｙ］））×Ｋ          （式３）
【００２５】
（式３）のＫは温度をパラメータとした補正係数であり、ここで塔内温度が３０℃の時の補正係数Ｋの算出例を（式４）に示す。
補正係数Ｋ［ｋｇ／ｍ３］＝（２７３[Ｋ]／（２７３＋３０）[Ｋ]）／２２．４[ｍ３／ｋｍｏｌ]×３４[ｋｇ／ｋｍｏｌ]    （式４）
【００２６】
硫化水素除去率を以下の（式５）に示す。
硫化水素除去率[％]＝
（硫化水素含有ガスの硫化水素濃度[ｐｐｍ]−生物脱硫塔処理ガスの硫化水素濃度[ｐｐｍ]）／硫化水素含有ガスの硫化水素濃度[ｐｐｍ]×１００        （式５）
【００２７】
本発明者は、本発明の生物脱硫と乾式脱硫を併用した脱硫システムを用いて、長期間の硫化水素の高負荷による連続実験を行ない、安定して処理が行なえる方法について検討した。以下、本発明の第１の実施の形態を説明する。
【００２８】
図１は、微生物が付着する充填材を充填した生物脱硫塔と脱硫剤を充填した乾式脱硫塔からなり、乾式脱硫塔処理ガスの一部が生物脱硫塔へ循環される脱硫システムの一例である。
【００２９】
図１に示すシステムを詳細に説明すると次のようになる。
硫化水素含有ガス流入ライン２が該生物脱硫塔１の上流側に接続され、該生物脱硫塔１内に微生物が付着する充填材からなる担体充填層１ａを設け、生物脱硫塔処理ガスライン７の一方が該生物脱硫塔１の下流側に接続され、該生物脱硫塔処理ガスライン７のもう一方が該乾式脱硫塔８の上流側に接続され、該乾式脱硫塔８内に脱硫剤からなる脱硫剤充填層８ａを設け、乾式脱硫塔処理ガスライン９の一方が該乾式脱硫塔８の下流側に接続され、該乾式脱硫塔処理ガスライン９が処理ガスライン１０と循環ガスライン１１に分岐され、該循環ガスライン１１のもう一方が該生物脱硫塔１の上流側に接続される。
【００３０】
循環ガスライン１１のもう一方は、硫化水素含有ガス流入ライン２に接続されてもよい。
【００３１】
生物脱硫塔１について説明する。
生物脱硫塔１には、担体充填層１ａに微生物が付着する充填材が充填される。充填材は、ｐＨ１以下の強酸性下で使用できるような耐薬品性を有する素材のものであればよく、例えば材質がポリエチレンやポリプロピレン、塩化ビニル、ポリウレタンなどの有機性物質が好ましい。
充填材の形状は、筒状や、網状骨格パイプやボール状やウニ状が好ましい。比表面積は５０〜１０００ｍ２／ｍ３の範囲が好ましい。空隙率は、８０〜９６％の範囲が好ましい。
【００３２】
硫化水素含有ガス流入ライン２には酸素含有気体流入ライン５が直結される。酸素含有気体０ｂとは酸素を含んでいる気体のことであり、空気または、純酸素または、酸素発生器により酸素濃度を調整したガスを用いてもよい。
酸素含有気体流入ライン５には酸素含有気体量供給手段６が設けてある。酸素含有気体量供給手段６は、ブロワを用いてもよく、ポンプなどを用いてもよい。
【００３３】
硫化水素含有ガス流入ライン２にはガス流量計３が設けてある。ガス流量計３は、オリフィス流量計や、容積流量計や、渦流量計や、流速式流量計等を用いることができる。
【００３４】
硫化水素含有ガス流入ライン２には硫化水素濃度計４が設けてある。硫化水素濃度計４は、定電位電解式による測定方法、硝酸銀電位差滴定法、イオン電極法、メチレンブルー吸光光度法、ガスクロマトグラフ法等を用いてもよい。また、検知管による硫化水素を測定してもよい。
【００３５】
循環ガスライン１１には循環ガス供給手段ｉ１２ａが設けてある。
循環ガス供給手段ｉ１２ａはブロワを用いてもよく、ポンプなどを用いてもよい。
【００３６】
循環液貯留槽１ｂからの循環液０ｈは、循環液散水ライン１３をとおって生物脱硫塔１の上部からノズル１４より散水される。循環液０ｈの一部は循環液貯留液槽１ｂからブロー水０ｉとして間欠的に排出され、循環液中の硫酸濃度を調整するために補給水０ｊが補給される。補給水０ｊは活性汚泥を用いてもよく、工水、中水、上水、を用いてもよい。
【００３７】
次に、乾式脱硫塔８について説明する。
乾式脱硫塔８の脱硫剤充填層８ａには脱硫剤が充填される。
【００３８】
脱硫剤は、非特許文献１にも開示されているように、一般的に用いられる脱硫剤のうち、焼成ドロマイトや石灰石、ドロマイト、酸化鉄、酸化銅、酸化銅−酸化鉄の混合物、酸化亜鉛が好ましい。特に、酸化鉄系は破砕鉄鉱石、赤鉄鉱、担体付酸化鉄、ラテライト鉄、が好ましい。
【００３９】
次に、本願発明の第２の実施の形態について説明する。この形態の一例を図２に示す。
生物脱硫塔と乾式脱硫塔の２つの反応塔からなる脱硫システム構成は、第１の実施の形態と同様である。
【００４０】
図２は、本システムの圧力損失の低減と処理の安定化を図るために、バイパスガスライン１８の一方が生物脱硫塔処理ガスライン７に接続され、もう一方が循環ガスライン１１に接続される脱硫システムの一例である。
【００４１】
第２の実施の形態では循環ガス０ｆとして乾式脱硫塔処理ガス０ｄの一部と生物脱硫塔処理ガス０ｃの一部を用いている。これにより生物脱硫塔１で処理できなかった硫化水素が含まれる場合、乾式脱硫塔８の通過ガス量が減少するため脱硫剤の硫化水素負荷量は軽減されるほか、システム全体の圧力損失も軽減される。
【００４２】
乾式脱硫塔処理ガスライン９は処理ガスライン１０と循環ガスライン１１に分岐される。循環ガスライン１１には乾式脱硫塔処理ガス量供給調節機構１７が設けられ、乾式脱硫塔処理ガス量供給調節機構１７の下流側には循環ガス供給手段（Ｂ１）１２ａが設けてある。
【００４３】
循環ガス供給手段（Ｂ１）１２ａにより生物脱硫塔処理ガス０ｃおよび乾式脱硫塔処理ガス０ｄのガスを吸引し、循環ガス０ｆとして生物脱硫塔に供給される。生物脱硫塔処理ガス０ｃは生物脱硫塔処理ガス量供給調節機構１９で調節される。乾式脱硫塔処理ガス０ｄは乾式脱硫塔処理ガス量供給調節機構１７で調節され、処理状況によって適宜調節する。具体的には、生物脱硫塔での処理が安定している場合には全循環ガス量のうち生物脱硫塔処理ガス量の割合を増やすように調節する。
【００４４】
実験装置の立上げ時や硫化水素含有ガスの硫化水素濃度変動で生物脱硫塔での処理が不安定な場合には、全循環ガス量のうち乾式脱硫塔処理ガス量を増やすように調節する。生物脱硫塔に流入するガス中の硫化水素濃度が７００ｐｐｍ以下に調整した場合に生物脱硫塔内では硫黄は析出せず、微生物は安定して増殖し立上げが短縮化できることを、本発明者らは実験的に確認している。
【００４５】
次に、本発明の第３の形態を図３に示す。
脱硫システム構成は第２の実施の形態と同様であるが、第３の形態ではバイパスガスライン１８に設けた生物脱硫塔処理ガス量供給調節機構１９の下流側に循環ガス供給手段（Ｂ２）１２ｂを設けている。図４のように、バイパスガスライン１８の下流側の接続先は生物脱硫塔１の上流側に接続されてもよい。
【００４６】
本発明の第４の形態を図４に示す。図４では、第３のバイパスガスライン１８の下流側の接続先が生物脱硫塔１の上流側に接続されている。
【実施例１】
【００４７】
実施例１では、循環ガスの種類によって脱硫剤の寿命に及ぼす影響を調査した。なお、硫化水素含有ガスはバイオガスを用いた。
実験装置は生物脱硫塔の後段に乾式脱硫塔を接続した脱硫システムとした。
この本願発明では循環ガスとして乾式脱硫塔処理ガスを用いた。
【００４８】
実験装置を図５に示す。
生物脱硫塔寸法は塔内径２３ｃｍ、担体の充填高さ２ｍ、担体充填容量８３Ｌである。
使用する担体形状は円筒状（φ１．５ｃｍ×ｈ１．５ｃｍ）、担体材質はポリエチレン製である。
乾式脱硫塔寸法は塔内径２３ｃｍ、脱硫剤の充填高さ１ｍ、全充填容量４１．５Ｌである。
使用する脱硫剤は酸化鉄が主成分で、形状はペレット状である。
【００４９】
硫化水素含有ガスの処理フローについて、硫化水素含有ガスは硫化水素含有ガス流入ラインにて空気と混合し、生物脱硫塔の上流部より流入する。
生物脱硫塔処理ガスは、乾式脱硫塔の充填材の上流側より流入して処理される。
乾式脱硫塔処理ガスの一部は循環ガスラインに設置した循環ガス供給手段ｉにより生物脱硫塔の上流部に循環され、残りは処理ガスラインを経て系外へ排出される。
循環液貯留槽からの循環液は循環液散水ラインをとおって生物脱硫塔の上部からノズルより散水される。
【００５０】
比較例の実験装置を図６に示す。装置概要は本願発明と同じである。
本発明と異なる部分として、循環ガスラインの一方は生物脱硫塔処理ガスラインに接続され、循環ガスラインのもう一方は生物脱硫塔の上流部に接続されている。循環ガスとして生物脱硫塔処理ガスを用いた。
【００５１】
以下の項目は、本願発明および比較例で共通とした。
次に、硫化水素含有ガスの処理条件について説明する。
処理方式は循環ガス方式とした。
ガス処理方向について、生物脱硫塔は下向流とし乾式脱硫塔は上向流とした。
ガス循環比は２とした。ここで、ガス循環比とは、硫化水素含有ガス流量に対する循環ガス流量の比率のことである。
具体的には、硫化水素含有ガス流量は４ｍ３／ｈ、循環ガス流量は８ｍ３／ｈとした。
循環液の散水量は２００Ｌ／ｈ、処理温度は３０℃とした。
硫化水素含有ガスの性状は、硫化水素；１５００ｐｐｍ、メタン；８０％、二酸化炭素；２０％であり、硫化水素含有ガスには酸素は含まれていない。
酸素含有気体には空気（酸素を２１ｖ／ｖ％含有；２５℃）を用いた。
空気供給量は、処理した硫化水素を硫酸に転換するために必要な酸素と、微生物の活性を維持するのに必要な酸素量を十分に供給するため、６０Ｌ／ｈに調節した。
【００５２】
処理の評価方法は、生物脱硫塔での硫化水素除去率および生物脱硫塔処理ガスの硫化水素濃度とした。生物脱硫塔の硫化水素除去率は、硫化水素含有ガスの硫化水素濃度と生物脱硫塔処理ガスの硫化水素濃度から（式５）基づき算出する。
具体的には、生物脱硫塔の硫化水素処理性能は、生物脱硫塔処理ガスの硫化水素濃度が１５０ｐｐｍ以下、すなわち硫化水素含有ガスの硫化水素濃度に対して硫化水素除去率９０％以上で処理良好と判断した。評価期間は３０日間とした。
【００５３】
生物脱硫塔処理ガスの硫化水素濃度と乾式脱硫塔処理ガスの硫化水素濃度の経日変化を図７に示す。
図中の▲印は本発明の処理結果を示し、◆印は比較例の処理結果を示す。
本発明において、実験開始直後の生物脱硫塔処理ガスの硫化水素濃度は４３０ｐｐｍであった。実験の経過に伴い生物脱硫塔処理ガスの硫化水素濃度は減少し、実験開始７日目には生物脱硫塔で硫化水素を完全に処理した。
比較例では、実験開始直後から生物脱硫塔処理ガスの硫化水素濃度は１５００ｐｐｍだった。２日目以降は生物脱硫塔にて徐々に処理されたものの、３０日目経過時点では生物脱硫塔処理ガスの硫化水素濃度は４３０ｐｐｍ含まれた。
【００５４】
次に、本発明における生物脱硫塔処理ガスの硫化水素濃度と乾式脱硫塔処理ガスの硫化水素濃度の経日変化を図８に示し、比較例を図９に示す。
１日あたりの処理のうち、生物脱硫塔による処理ガスの硫化水素濃度を灰色の棒グラフで示し、乾式脱硫塔処理ガスの硫化水素濃度を白色棒グラフで示した。
本発明では実験開始時に乾式脱硫塔で硫化水素が処理されたものの、硫化水素は期間全体を通して主に生物脱硫塔で処理された。
比較例では硫化水素は実験開始時より主に乾式脱硫塔にて処理された。日毎に生物脱硫塔で硫化水素は処理された。
【００５５】
１日あたりの硫化水素負荷量と生物脱硫塔での硫化水素負荷量と乾式脱硫塔での硫化水素負荷量について計算する。
本実験における１日あたりの硫化水素負荷量は１９７ｇであった。実験期間（３０日間）の全硫化水素負荷量は５９１０ｇであった。
本発明における生物脱硫塔での硫化水素負荷量は期間全体で５６３０ｇであり、乾式脱硫塔での硫化水素負荷量は２８０ｇであった。乾式脱硫塔は主に実験開始直後にのみ使用する程度であった。
比較例における生物脱硫塔での硫化水素負荷量は期間全体で２０６０ｇであり、乾式脱硫塔での硫化水素負荷量は３８５０ｇであった。
【００５６】
以上の結果より、本発明では乾式脱硫剤による硫化水素負荷量は比較例に対して７．３％であった。乾式脱硫剤に寄与する負荷を大幅に削減できるため交換頻度が極めて少なく済む。
【実施例２】
【００５７】
実施例１では乾式脱硫塔の塔体径は生物脱硫塔と同じ塔体径であった。
そこで、硫化水素含有ガスに対して乾式脱硫塔を小型化させて生物脱硫塔と乾式脱硫塔の組合せにおいて最適な循環ガスシステムを検討した。
具体的には、乾式脱硫塔を高ＬＶ状態下で通ガスすると、ここでの圧力損失が上昇するため、生物脱硫塔、乾式脱硫塔での圧力バランスが維持されにくくなる。そのため、乾式脱硫塔の圧力損失は１．５ｋＰａ以下で運転されることが重要となる。なお、硫化水素含有ガスはバイオガスを用いた。
【００５８】
実験装置を図１０に示す。
生物脱硫塔寸法は塔内径２３ｃｍ、担体の充填高さ２ｍ、担体充填容量８３Ｌである。
使用する担体形状は円筒状（φ１．５ｃｍ×ｈ１．５ｃｍ）、担体材質はポリエチレン製である。
乾式脱硫塔寸法は塔内系１０ｃｍ、脱硫剤の充填高さ１ｍ、全充填容量８Ｌである。
使用する脱硫剤は酸化鉄が主成分で、形状はペレット状である。
【００５９】
硫化水素含有ガスの処理フローは実施例１と同じである。
次に、硫化水素含有ガスの処理条件について説明する。
処理方式は循環ガス方式とした。
ガス処理方向について、生物脱硫塔は下向流とし乾式脱硫塔は上向流とした。
硫化水素含有ガス流量は生物脱硫塔へ１ｍ３／ｈにて流入した。
循環ガス流量は、生物脱硫塔処理ガスと乾式脱硫塔処理ガスの合計ガス流量が１０ｍ３／ｈにて生物脱硫塔上流部へ循環した。ガス循環比は１０である。
生物脱硫塔処理ガスと乾式脱硫塔処理ガスの循環ガス比率について、生物脱硫塔処理ガスは０％〜９５％の範囲とし、乾式脱硫塔処理ガスは５％〜１００％の範囲とし、Ｒｕｎ２−１〜Ｒｕｎ２−１０に区分けした。
循環液の散水量は２００Ｌ／ｈ、処理温度は３０℃とした。
硫化水素含有ガスはバイオガスであり、性状は硫化水素；５０００ｐｐｍ、メタン；８０％、二酸化炭素；２０％であり、硫化水素含有ガスには酸素は含まれていない。
酸素含有気体として空気（酸素を２１ｖ／ｖ％含有；２５℃）を用いた。
空気供給量は、処理した硫化水素を硫酸に転換するために必要な酸素と、微生物の活性を維持するのに必要な酸素量を十分に供給するため、６０Ｌ／ｈに調節した。
【００６０】
処理の評価項目は、（１）生物脱硫塔での硫化水素除去率および生物脱硫塔処理ガスの硫化水素濃度、（２）圧力損失の２項目とした。
具体的には、生物脱硫塔の硫化水素処理性能は、生物脱硫塔処理ガスの硫化水素濃度が１００ｐｐｍ以下、すなわち硫化水素含有ガスの硫化水素濃度に対して硫化水素除去率９８％以上で処理良好と判断した。
圧力損失について、ガスの導入をスムーズに行うため、生物脱硫塔の圧力損失は０．３ｋＰａ以下であることとし、系全体の圧力損失は１．５ｋＰａ以下であることとした。Ｒｕｎごとの評価期間は２週間とした。
処理結果を表１に示す。
【００６１】
【表１】
0006752181.tif 000002
【００６２】
Ｒｕｎ２−１〜Ｒｕｎ２−３では、生物脱硫塔処理ガスの硫化水素濃度は５０ｐｐｍだった。生物脱硫塔の圧力損失は０．０５ｋＰａで一定だった。乾式脱硫塔の圧力損失は、Ｒｕｎ２−１では１．５４ｋＰａ、Ｒｕｎ２−２では１．５０ｋＰａ、Ｒｕｎ２−３では１．４７ｋＰａであった。系全体の圧力損失は、Ｒｕｎ２−１；１．５９ｋＰａ、Ｒｕｎ２−２；１．５５ｋＰａ、Ｒｕｎ２−３；１．５２ｋＰａであり系全体のガスバランスは不安定となった。
なお、系全体の圧力損失が１．５０ｋＰａとなるのは、循環ガス比率として生物脱硫塔処理ガス：乾式脱硫塔処理ガス＝２９％：７１％のときだった。
【００６３】
Ｒｕｎ２−４〜Ｒｕｎ２−８では、生物脱硫塔処理ガスの硫化水素濃度は５０ｐｐｍ〜９５ｐｐｍの範囲だった。生物脱硫塔の圧力損失は０．０５ｋＰａで一定だった。乾式脱硫塔の圧力損失は１．４２ｋＰａ〜１．１０ｋＰａだった。系全体の圧力損失は１．４７ｋＰａ〜１．１５ｋＰａだった。
【００６４】
Ｒｕｎ２−８での処理評価後、循環ガス比率を生物脱硫塔処理ガス：乾式脱硫塔処理ガス＝１９％：８１％としたとき、生物脱硫塔処理ガスの硫化水素濃度は１０５ｐｐｍとなった。
【００６５】
Ｒｕｎ２−９およびＲｕｎ２−１０では、生物脱硫塔処理ガスの硫化水素濃度はそれぞれ１５０ｐｐｍおよび２００ｐｐｍであり評価基準値よりも値は大きかった。
生物脱硫塔の圧力損失は０．０５ｋＰａ、乾式脱硫塔の圧力損失はＲｕｎ２−９では１．０２ｋＰａ、Ｒｕｎ２−１０では０．９５ｋＰａだった。系全体の圧力損失はＲｕｎ２−９では１．０７ｋＰａ、Ｒｕｎ２−１０では１．００ｋＰａだった。
Ｒｕｎ２−１〜Ｒｕｎ２−１０のずべてのＲｕｎにおいて、乾式脱硫塔では硫化水素は１００％除去された。
【００６６】
以上の結果より、生物脱硫塔の硫化水素処理性能が良好であり且つ乾式脱硫塔の圧力損失が１．５ｋＰａ以下で処理されるのはＲｕｎ２−４〜Ｒｕｎ２−９の範囲であった。
具体的には、生物脱硫塔に流入するガスのうち生物脱硫塔処理ガスの混合比率が３０％〜８０％の範囲で処理することが重要である。
【実施例３】
【００６７】
実施例３では硫化水素含有ガスとして臭気ガスを用いて生物脱硫塔と乾式脱硫塔の組合せにおいて最適な循環ガスシステムを検討した。
実験装置は実施例２と同様である。
【００６８】
次に、硫化水素含有ガスの処理条件について説明する。
処理方式は循環ガス方式とした。
ガス処理方向について、生物脱硫塔は下向流とし乾式脱硫塔は上向流とした。
硫化水素含有ガスは生物脱硫塔へ１０ｍ３／ｈにて流入した。
循環ガス流量は、生物脱硫塔処理ガスと乾式脱硫塔処理ガスの合計ガス流量が１０ｍ３／ｈにて生物脱硫塔上流部へ循環した。ガス循環比は１である。
生物脱硫塔処理ガスと乾式脱硫塔処理ガスの循環ガス比率について、生物脱硫塔処理ガスは０％〜９５％の範囲とし、乾式脱硫塔処理ガスは５％〜１００％の範囲とし、Ｒｕｎ３−１〜Ｒｕｎ３−１０に区分けした。
循環液の散水量は２００Ｌ／ｈ、処理温度は３０℃とした。
硫化水素含有ガスの性状は、空気（窒素；７９％、酸素２０．７％）が主成分であり、硫化水素は１０００ｐｐｍ含有していた。
【００６９】
評価項目は実施例２と同様とし、（１）生物脱硫塔の硫化水素除去率および生物脱硫塔処理ガスの硫化水素濃度、（２）圧力損失の２項目とした。
具体的には、生物脱硫塔の硫化水素処理性能は生物脱硫塔処理ガスの硫化水素濃度が１００ｐｐｍ以下、すなわち硫化水素含有ガスの硫化水素濃度に対して硫化水素除去率９０％以上で処理良好と判断した。
圧力損失について、ガスの導入をスムーズに行うため、生物脱硫塔の圧力損失は０．３ｋＰａ以下であることとし、系全体の圧力損失は１．５ｋＰａ以下であることとした。Ｒｕｎごとの評価期間は２週間とした。
処理結果を表２に示す。
【００７０】
【表２】
0006752181.tif 000003
【００７１】
Ｒｕｎ３−１〜Ｒｕｎ３−３では、生物脱硫塔処理ガスの硫化水素濃度は５０ｐｐｍだった。生物脱硫塔の圧力損失は０．０７ｋＰａで一定だった。乾式脱硫塔の圧力損失は、Ｒｕｎ３−１では１．５４ｋＰａ、Ｒｕｎ３−２では１．５０ｋＰａ、Ｒｕｎ３−３では１．４７ｋＰａであった。系全体の圧力損失は、Ｒｕｎ３−１；１．６１ｋＰａ、Ｒｕｎ３−２；１．５７ｋＰａ、Ｒｕｎ３−３；１．５４ｋＰａであり系全体のガスバランスは不安定となった。
なお、乾式脱硫塔圧力損失が１．５０ｋＰａとなるのは、循環ガス比率として生物脱硫塔処理ガス：乾式脱硫塔処理ガス＝２９％：７１％のときだった。
【００７２】
Ｒｕｎ３−４〜Ｒｕｎ３−８では、生物脱硫塔処理ガスの硫化水素濃度は５０ｐｐｍ〜９５ｐｐｍの範囲だった。生物脱硫塔の圧力損失は０．０７ｋＰａで一定だった。乾式脱硫塔の圧力損失は１．４２ｋＰａ〜１．１０ｋＰａだった。
【００７３】
Ｒｕｎ３−８での処理評価後、循環ガス比率を生物脱硫塔処理ガス：乾式脱硫塔処理ガス＝１９％：８１％としたとき、生物脱硫塔処理ガスの硫化水素濃度は１０５ｐｐｍとなった。
【００７４】
Ｒｕｎ３−９およびＲｕｎ３−１０では、生物脱硫塔処理ガスの硫化水素濃度はそれぞれ１５０ｐｐｍおよび２００ｐｐｍであり評価基準値よりも値は大きかった。
生物脱硫塔の圧力損失は０．０７ｋＰａ、乾式脱硫塔の圧力損失はＲｕｎ３−９では１．０２ｋＰａ、Ｒｕｎ２−１０では０．９５ｋＰａだった。
Ｒｕｎ３−１〜Ｒｕｎ３−１０のずべてのＲｕｎにおいて、乾式脱硫塔では硫化水素は１００％除去された。
【００７５】
以上の結果より、生物脱硫塔の硫化水素処理性能が良好であり且つ乾式脱硫塔の圧力損失が１．５ｋＰａ以下で処理されるのはＲｕｎ３−４〜Ｒｕｎ３−９の範囲であった。
具体的には、生物脱硫塔に流入するガスのうち生物脱硫塔処理ガスの混合比率が３０％〜８０％の範囲で処理することが重要である。
実施例３の結果は実施例２の結果と同じ傾向を示していた。すなわち、硫化水素含有ガスの種類に関わらず、循環ガスとして生物脱硫塔処理ガスの一部を用いることで乾式脱硫塔の圧力損失は軽減されることに加え、生物脱硫塔での硫化水素の処理は良好だった。
【産業上の利用可能性】
【００７６】
以上説明したように、本願発明によれば乾式脱硫塔処理ガスを循環させることで硫化水素含有ガスの硫化水素濃度の希釈効果を高めて生物脱硫塔での処理が改善できた。
特に、全循環ガス量のうち生物脱硫塔処理ガスの一部を用いることで乾式脱硫塔処理ガス量を低減させて全体の圧力損失を軽減させることができた。
【符号の説明】
【００７７】
０ａ      硫化水素含有ガス
０ｂ      酸素含有気体
０ｃ      生物脱硫塔処理ガス（バイパスガス）
０ｄ      乾式脱硫塔処理ガス
０ｅ      処理ガス
０ｆ      循環ガス
０ｇ      混合ガス
０ｈ      循環液
０ｉ      ブロー水
０ｊ      補給水
１        生物脱硫塔
１ａ      担体充填層
１ｂ      循環液貯留槽
２        硫化水素含有ガス流入ライン
３        ガス流量計
４        硫化水素濃度計
５        酸素含有気体流入ライン
６        酸素含有気体量供給手段
７        生物脱硫塔処理ガスライン
８        乾式脱硫塔
８ａ      脱硫剤充填層
９        乾式脱硫塔処理ガスライン
１０      処理ガスライン
１１      循環ガスライン
１２ａ    循環ガス供給手段（Ｂ１）
１２ｂ    循環ガス供給手段（Ｂ２）
１３      循環液散水ライン
１４      ノズル
１５      混合ガス採取用バルブ
１６      生物脱硫塔処理ガス採取用バルブ
１７      乾式脱硫塔処理ガス量供給調節機構
１８      バイパスガスライン
１９      生物脱硫塔処理ガス量供給調節機構
【図１】
0006752181.tif 000004
【図２】
0006752181.tif 000005
【図３】
0006752181.tif 000006
【図４】
0006752181.tif 000007
【図５】
0006752181.tif 000008
【図６】
0006752181.tif 000009
【図７】
0006752181.tif 000010
【図８】
0006752181.tif 000011
【図９】
0006752181.tif 000012
【図１０】
0006752181.tif 000013